(57)【特許請求の範囲】
【請求項１】
障子窓枠間に設けられた弾機を用いた蹴り出し装置により迅速に障子が開かれ、障子および窓枠に設けられた複滑車装置と連繋するワイヤロープがワイヤロープ捲取機に捲き取られることより障子が閉鎖されるように構成された窓開閉装置において前起複滑車装置を定位置に設置した状態で障子開放側框の外周面長手方向の中央部あるいは該框と対応する窓枠長手方向の中央部のいずれか一方側にスライダがガイドレール内をはずれることなく長手方向にスライド自由に摺動するように付設され、該スライダに前記ワイヤロープをかけた滑車が取り付けられ、該滑車に掛けられたワイヤロープの引っ張り方向に対抗する方向に弾力が働くよう弾性体が係止され、更に該スライダ上に、互いに係合するフック受け軸とバネにより元の位置に戻る方向に付勢された首振りフックのうちの一方が設けられてなり、スライダ付設の他方側に互いに係合するフック受け軸と首振りフックのうちの他方が設けられて障子閉鎖時に該フック受け軸と該首振りフックとが互いに係合されてなることを特徴とする窓開閉装置の閉窓ロック装置
【発明の詳細な説明】
【０００１】
【産業上の利用分野】
本発明は滑車とワイヤーロープ（以後ワイヤと称する）を用い、ウインチ手段によりワイヤを捲き取りながら閉窓し、反面ワイヤを巻き戻すことにより開窓する窓開閉装置の保安機構に関するものである。
【０００２】
【従来の技術】
ワイヤ式窓開閉装置が設けられた窓はワイヤが捲取機に次第に捲き取られて障子が窓枠に当接し、捲取機内のワイヤ逆止機構が働いて窓閉鎖が完了するが、そのままの状態ではワイヤに絶えず負荷が掛かった状態であるためワイヤは伸びて窓と障子間に隙間が出来てきたり、ワイヤが疲労して寿命が短くなる。
【０００３】
また閉鎖時に突風、爆風、逆風などの急激な衝撃が偶発して窓を直撃した場合には更にワイヤに余分な負荷が掛かるためワイヤ破断等の危険性があり、悪条件が重なれば窓やその周辺の破損事故につながる危険性を有していた。そのため閉鎖時には別のロック装置が設けられて窓の安全が図られていた。
【０００４】
しかしながら別のロック装置は開窓操作とは異なる作業のため今度はロック装置のロック解除のために開窓操作が手間取ることになり、迅速性を要する排煙装置などへの使用には問題があった。これらの問題点解決策として実公平６−３１０９７号公報のようにラッチと突片を用いる方法や実公平６−４３４２３号公報のように突起と鉤を用いる方法等が開発され、ロック解除と開窓操作が一本化されてきた。
【０００５】
【発明が解決しようとする課題】
両者はどちらも障子閉鎖時のワイヤ引張力に抗する方向にバネを付勢せしめて係合施錠するように構成し、ワイヤが弛むことによりバネの付勢力を利用して開錠容易を図ったものである。
【０００６】
原理的には両者ともすぐれているが前者の実公平６−３１０９７号公報のものは施錠装置の一方である梃子の移動が窓枠の長手方向と交差する方向への移動であるためスペース的に取付位置が限定されるという不都合があり、後者の実公平６−４３４２３号公報のものは揺動片にローラ付軸と支持軸と連結板とが取り付けられるため幅広いものになり、そのため揺動片はスペースが充分確保出来る窓枠側にしか取り付けられないという不都合があり美観面に問題があった。
【０００７】
それらを踏まえた上、発明者は更に数々の試験を繰り返したがその経過の中で次のことを発見した。それは後者公報の構成においては開窓時における障子の蹴り出し強さが大きくなる構成、即ち障子重量が重く、開窓時にそれが自重として掛かる場合とか開窓方向に付勢する付勢具の強さが強い場合は閉窓時にまず引張りコイルバネの付勢力よりワイヤの引張力の方が大きくなりそのため揺動片が先に揺動してしまい揺動後の姿のまま障子が閉じてしまうため揺動片と連動した突起が鉤に直接ぷつかってしまって引っ掛からない不都合なケースが生じること、更にその反対として今度は引張りコイルバネの付勢力を非常に大きくした場合はワイヤ捲取力が大になり、そのため捲取ドラムに捲かれるワイヤが互いに喰い込み合って、開窓時にうまく窓が開かない不都合なケースが生じるということである。本発明はかかる不都合を解決することを目的として発明されたものである。
【０００８】
【課題を解決するための手段】
本発明は障子窓枠間に設けられた弾機を用いた蹴り出し装置により迅速に障子が開かれ、障子および窓枠に設けられた複滑車装置と連繋するワイヤロープがワイヤロープ捲取機に捲き取られることより障子が閉鎖されるように構成された窓開閉装置において前記複滑車装置を定位置に設置した状態で障子開放側框の外周面長手方向の中央部あるいは該框と対応する窓枠長手方向の中央部のいずれか一方側にスライダがガイドレール内をはずれることなく長手方向にスライド自由に摺動するように付設され、該スライダに前記ワイヤロープをかけた滑車が取り付けられ、該滑車に掛けられたワイヤロープの引っ張り方向に対抗する方向に弾力が働くよう弾性体が係止され、更に該スライダ上に、互いに係合するフック受け軸とバネにより元の位置に戻る方向に付勢された首振りフックのうちの一方が設けられてなり、スライダ付設の他方側に互いに係合するフック受け軸と首振りフックのうちの他方が設けられて障子閉鎖時に該フック受け軸と該首振りフックとが互いに係合されてなることを特徴とする窓開閉装置の閉窓ロック装置である。
【０００９】
ここでいう弾機とはバネあるいはステイダンパ、オートヒンジ等を指し、弾性体はコイルバネでもダンパでも常時弾力が掛けられるものであって該当するスペースにはまり込むものであればその他のものであっても構わない。弾性体の取付位置によって弾力は引っ張り力を用いるか圧縮力を用いるかが決定される。
【００１０】
またこのスライダにはフック受け軸と首振りフックとの係合のための適した関係位置確保のため位置規制ストッパを設けることが好ましく、その関係位置はスライダトに突設されたフック受け軸の軸中心位置と首振りフックの首振り支点とが窓枠（あるいは障子）の垂線と一致する位置が好ましく、首振りフックの懐をさらに深くし掛かり代を大きくして係合させても良い。
【００１１】
また、首振りフックの首振り方向は支点を中心にしてフックと反対方向であり、フック受け軸が通過後は速やかに元位置まで復元可能なようにバネを付勢し、首振りフックの頂部形状はフック受け軸が当接した際に支点中心に開放容易に移動出来るようにあらかじめ傾斜あるいは丸みを設けておく必要がある。またフック受け軸の外周部は回転する構成にすることが好ましい。
【００１２】
また、障子が幅広くて重いものであれば首振りフックを複数個付設する必要があるが、その場合は上記した構成を複数個設置してもよいし、途中に余分な滑車の邪魔がなければスライダを長くしてスライダ上にフック受け軸を複数個突設してもよい。ガイドレールは同じように長くしなくても短いものを２個所以上に付設してもよく、要はスライダがガイドレール内をはずれることなく長手方向にスライド自由に摺動するように規制出来ればよい。
【００１３】
このフック受け軸と首振りフックはどちらがスライド上に設けられてもよく、互いにペアの関係になっていれば良い。
【００１４】
【作用】
開窓状態からワイヤがワイヤ捲取機に順次捲き取られることより障子の開放側框の外周面長手方向あるいは該框と対応する窓枠の長手方向のいずれか一方に付設されたスライダは両端に設けられた弾性体の弾力と滑車を通じての引張力とによってバランスされながらガイドレール内を摺動する。
【００１５】
開窓時における障子の蹴り出し強さが大きくなる構成、即ち障子重量が重く、開窓時に自重として掛かる場合とか開窓方向に付勢する付勢具の強さが強い場合には閉窓時に弾性体の弾力よりワイヤの引張力が大きくなるためスライダはワイヤの引張力側へスライドストッパにより停止する位置まで先にスライドする。
【００１６】
互いに係合するフック受け軸と首振りフックにおいて、障子が更に閉じるとスライダ上のフック受け軸（又は首振りフック）は同じ位置に停止したまま、首振りフック（又はフック受け軸）と当接することになる。更に障子が閉じられるとフック受け軸は首振りフックの当接部を押すためフックは次第に首を振ってフックと反対方向に逃げるが障子が閉じる位置まで来るとフック先端はフック受け軸を越えるため、首振りフックは該首振りフックに内設されたバネの復元力により元の位置まで戻り、フック受け軸と首振りフックとが互いに係合される。
【００１７】
次に閉窓時に弾性体の弾力がワイヤの引張力より大きくなる場合、即ち障子重量が軽い場合とか開窓方向に付勢する付勢具の強さが弱い場合はスライダは弾性体の弾力の影響する位置で停止したまま障子が閉じられてくる。更に閉じられ障子が窓枠に当接する位置まで来ると、今度はワイヤの引張力が弾性体の弾力より大きくなるためスライダはワイヤの引張力側へ向かってスライドし、スライドストッパにより停止する位置までスライドすると同時にスライダ上のフック受け軸は首振りフックと係合される。また、互いに係合するフック受け軸と首振りフックの取付を互いに逆にした場合はスライダ上の首振りフックのほうがスライドしてフック受け軸に係合されることになる。
【００１８】
上記したどの場合においても開窓時にはワイヤが弛められる方向に働くため弾性体の弾力が働く方向へスライダがスライドし、スライダ上のフック受け軸は首振りフックからはずれて障子は蹴り出し装置により迅速に開かれることになる。
【００１９】
【実施例】
本発明の実施例を図に基づいて説明すると、図１は窓開閉装置の設けられた外倒し窓において閉窓ロック装置を障子上框外周部の中央部と、相対する窓上枠の中央部とに装着した装着図であり、図２は図１における主要部の説明図であり、図３は図２において首振りフックとフック受け軸とを互いに逆に装着した場合の図である。
【００２０】
図１、図２において障子１の上框外周面長手方向の中央部にスライダ３がガイドレール４内をはずれることなく長手方向にスライド自由に摺動するように付設され、スライダ３には滑車５が取り付けられ、ワイヤ６の引っ張りに対抗する方向に引張りバネ７が付勢係止されている。
【００２１】
更にスライダ３上には外周が回転するように構成されたフック受け軸８が突設され、フック受け軸８と対応する窓枠２側の位置には支点を軸にバネにより付勢されて首振りする首振りフック９が設けられ、障子閉鎖時に該フック受け軸８と首振りフック９とが係合されてなる窓開閉装置の閉窓ロック装置である。
【００２２】
この外倒し窓のワイヤ張設はワイヤ６の基端にワイヤ留め（図示せず）を付けた上、順次枠滑車９−障子滑車１０−滑車５−障子滑車１１−障子滑車１２−枠滑車１３と通した後、ケーブル１４を通ってワイヤ捲取機１５内の捲取ドラム（図示せず）まで繋がっている。
【００２３】
開窓時はワイヤ捲取機１５についている押しボタン１６を押すことによりワイヤを捲き取っている捲取ドラムのロック機構（図示せず）がはずれ、ワイヤは弛むと同時に障子窓枠間に設けられたステイダンパ（図示せず）と障子の自重とにより迅速に障子が開かれる。
【００２４】
閉窓時はワイヤ捲取機１５のハンドル１７を回すことによりウインチ手段によってワイヤは捲取ドラムに捲取られながら次第に閉窓してゆくことになる。捲き取りが終了すると捲取ドラムのロック機構は自動的に掛かる。
【００２５】
次に閉窓ロック機構を説明すると、閉窓時ワイヤ捲取機１５のハンドル１７を回すことによりウインチ手段によってワイヤは捲取ドラムに捲取られながら次第に閉窓してゆくが、スライダ３は端部に設けられた引張りバネ７の引張力と滑車を通じてのワイヤの引張力とによってバランスされながらガイドレール内を摺動する。バネの引張力よりワイヤの引張力の方が大であればスライダ３はまず先にワイヤ引張力側へストップ位置（図示せず）まで引っ張られて停止する。
【００２６】
更に閉窓するとスライダ３上のフック受け軸８は同じ位置に停止したまま、首振りフック９と当接し、更に障子１が閉じられると首振りフック９の当接部はフック受け軸８に押されて次第に首を振ってフックと反対方向に逃げるが障子１が閉じる位置まで来ると首振りフック先端はフック受け軸８を越えるため、首振りフック９は該首振りフックに内設されたバネの復元力により元の位置まで戻り、フック受け軸８と首振りフック９とが係合される。
【００２７】
またワイヤの引張力よりバネの引張力の方が大であればスライダ３は引張りバネ７側へ引張られたままバランス位置（図示せず）に保たれて障子１と窓枠２が当接するまで進む。障子１と窓枠２が当接すると今度はワイヤの引張力が大になるためスライダ３はワイヤの引張力側へスライドし、スライダ３上のフック受け軸８はすでに到着している首振りフック９と係合する。
【００２８】
スライダ３上のフック受け軸８と首振りフック９とはたがいに逆に装着しても良く、その場合は図３のように装着する。その場合の閉窓ロックの様子はバネの引張力よりワイヤの引張力の方が大であればスライド３上の首振りフック９が先に移動した後フック受け軸８と当接し、首を振って係合するし、またワイヤの引張力よりバネの引張力の方が大であればスライダ３上の首振りフック９がすでに到着しているフック受け軸８と係合することになる。
【００２９】
本実施例においては図示した位置関係から引張りバネを用いたが、図２、図３においてスライダ３上の滑車５より左側に弾性体を設ける場合には圧縮バネにしなくてはならない。
【００３０】
また、スライダ３に係止されている引張りバネ７と框側係止部との間に長さ調整用のアジャストボルト・ロックナットからなる調整装置を設ければ調整は更に楽になって好ましい。
【００３１】
【発明の効果】
本発明の窓開閉装置の閉窓ロック装置は開窓時にスライダ上に突設されたフック受け軸が首振りフックから容易にはずれる程度の弾力性が得られる弾性体を備えさえすればスライダの動きの遅速にかかわらず確実にフック受け軸と首振りフックとは係合され、係合後は障子に突風、爆風、逆風などの急激な衝撃が直撃してもワイヤには従来通りの負荷が掛かるだけで余分な負荷はロック装置が受け持つためワイヤ破断等の危険性が少なくなって安全性を保つことが出来、開窓操作するだけで自動的にロックがはずせるため迅速な開窓操作が出来るため排煙装置としても使用することが出来る。
【００３２】
また本装置はガイドレール、スライダ、フック受け軸の３つが重なるような構成になるため框の外周面における厚み幅内に幅を押さえることが可能なため本発明装置を框内に収納することが出来て美観を損なわなく隠蔽式に設置することも出来るし、スライダを窓枠側に付設し首振りフックを框側に付設しても良く、ケース・バイ・ケースでの幅広い選択が可能となった。
【００３３】
また本発明装置は障子窓枠間に設けられた蹴り出し装置により迅速に障子が開かれ、障子および窓枠に設けられた複滑車装置と連繋するワイヤがワイヤ捲取機に捲き取られることより障子が閉鎖されるように構成された窓開閉装置であれば両開き、片開き、突き出し、平行突き出し、単窓、複窓のいずれのケースにもすべて適応出来て広範囲の用途に使用可能である。
【図面の簡単な説明】
【図１】本発明装置の外倒し窓への装着図
【図２】本発明装置主要部の説明図
【図３】図２において首振りフックとフック受け軸を互い逆に装着した時の図
【符号の説明】
１、障子
２、窓枠
３、スライダ
４、ガイドレール
５、滑車
６、ワイヤ
７、引張りバネ
８、フック受け軸
９、首振りフック
１０、枠滑車
１１、障子滑車
１２、障子滑車
１３、障子滑車
１４、枠滑車
１５、ケーブル
１６、ワイヤ捲取機
１７、押しボタン
１８、ハンドル
【図１】
0003574957.tif 000002
【図２】
0003574957.tif 000003
【図３】
0003574957.tif 000004